(57)【要約】【課題】動作モード時においても消費電力を低減することができると共に複合化に対応した回路構成においても効果的に消費電力を低減することができる画像形成装置を提供する。【解決手段】表示操作部５と、原稿読取部２と、プロッタ部７とを備え、プリンタ機能やファックス機能などの複数の機能を同時に実行可能な画像形成装置２００において、画像処理アプリケーションの動作モードを検出するクロック制御回路４２と、電源回路の２次側電力を監視する電力検知部４１を備え、クロック制御回路４２の検出結果と電力検知部４１の検出結果に応じて、メインコントローラ３０やプリンタ拡張８やＦＡＸ拡張９の制御部の基準クロックの周波数を下げることにより装置全体の消費電力を低減する。【選択図】        図２
2005035136.tif 000002
【特許請求の範囲】
【請求項１】
操作モード等を設定する操作入力部と操作画面を表示する表示部を備えた表示操作手段と、原稿を光学的に読み取る原稿読取手段と、画像を転写材に形成する画像形成手段とを備え、画像処理アプリケーションにおける複数の機能を同時に実行可能な画像形成装置において、
前記画像処理アプリケーションの動作モードを検出するモード検出手段と、装置の電源回路の２次側電力を監視する電源情報検出手段を備え、
前記モード検出手段の検出結果と前記電源情報検出手段の検出結果に応じて、装置のメイン制御部及び画像処理アプリケーション制御部の基準クロックを調整することにより装置全体の消費電力を制御することを特徴とする画像形成装置。
【請求項２】
操作モード等を設定する操作入力部と操作画面を表示する表示部を備えた表示操作手段と、原稿を光学的に読み取る原稿読取手段と、画像を転写材に形成する画像形成手段とを備え、画像処理アプリケーションにおける複数の機能を同時に実行可能な画像形成装置において、
前記画像処理アプリケーションの動作モードを検出するモード検出手段と、装置の電源回路の２次側電力を監視する電源情報検出手段を備え、
メイン制御部からのクロック出力により動作する画像処理アプリケーション制御部の基準クロックの調整を前記モード検出手段の検出結果と前記電源情報検出手段の検出結果に応じて、メイン制御部から出力される基準クロックの調整することにより装置全体の消費電力を制御することを特徴とする画像形成装置。
【請求項３】
請求項１又は２に記載の画像形成装置において、
画像を転写材に定着するための定着ヒーターの電源投入状態を検出するヒーター電源検出手段を備え、前記ヒーター電源検出手段の検出結果に応じて、基準クロックを調整することにより装置全体の消費電力を制御することを特徴とする画像形成装置。
【発明の詳細な説明】
【０００１】
【発明の属する技術分野】
本発明は、デジタル複合複写機などの画像形成装置に関する。
【０００２】
【従来の技術】
図７は一般的な従来の画像形成装置１００の外観を示している。画像形成装置１００は原稿から直接読み取るなどして得た画像を転写紙などの転写材に転写する装置であり、その主要部は図７に示すように、本体１と、原稿送り装置などから構成される原稿読取手段としての原稿読取部２と、転写紙を保管し給紙する給紙部３と、画像が定着された転写紙を排出する排紙部４と、操作者が操作モード等の操作指示を与えるための操作入力部としての表示操作部５などから構成されている。
画像形成装置１００の制御回路の基本構成を図８に示す。図８において、メインコントローラ６は装置全体を集中して制御する制御部分であり、操作手段としての表示操作部５、原稿読取手段としての原稿読取部２、画像形成手段としてのプロッタ部７に接続されている。また、メインコントローラ６はプリンタコントローラと外部Ｉ／Ｆとで構成されるプリンタ拡張８やファックスコントローラと通信Ｉ／Ｆとで構成されるＦＡＸ拡張９とも接続されている。原稿読取部２はレンズやミラーなどの光学部分とモータなどの駆動部分とＣＣＤ等からなる電装部分等からなっている。プロッタ部７は転写紙などを保管し給紙する給紙部分と、画像を転写紙上に形成するプロセス部分と、ＬＤ（レーザダイオード）などからなる電装部分などからなっている。表示操作部５は装置駆動状態や設定状況の画面を表示するＣＲＴや液晶でできた表示部と各種操作を行う操作入力部からなっている。表示操作部５はメインコントローラ６から直接制御されている。
【０００３】
図９は画像形成装置１００が有する電源回路１２の概略図である。同図に示すように、電源回路１２の１次側は商用電源１２１に接続され、一般的な場合と同様にＡＣ１００Ｖが供給される。変圧器１２２は商用電源１２１の電圧を機器内部で必要な電圧、例えば１２Ｖ等に降圧するためのもので複数の２次側電圧出力を有している。整流器１２３は変圧器１２２からの交流出力を整流し平滑化し、図１０のようにメインコントローラ６、原稿読取部２、プロッタ部７等の各種電装ユニットに直流電源を供給している。
【０００４】
図１１はメインコントローラ６の構成を示すブロック図である。メインコントローラ６はプログラムを格納するＲＯＭ１３と、プログラム実行に必要なＲＡＭ１４と、各種画像処理を行う画像処理部１５と、表示操作部５を接続するための操作Ｉ／Ｆ部１６と、原稿読取部２及びプロッタ部７を接続するための画像Ｉ／Ｆ部１７と、プログラムにより各種制御処理を行うＣＰＵ１８と、拡張機能を接続するための外部拡張機能Ｉ／Ｆ部１９と、水晶発振器等からのクロック出力を分周または逓倍し基準クロックＣＫを発生させる基準クロック発生回路２０から成り立っており、メインコントローラ６内部のデバイスは基準クロック発生回路２０からの基準クロックＣＫで動作している。
メインコントローラ６内部の各部分は内部バスＩＢＵＳで接続されている。メインコントローラ６と他の電装ユニットとはハーネスなどにより外部バスＯＢＵＳで接続されている。原稿読取部２やプロッタ部７はメインコントローラ６により制御されており、制御プログラムはメインコントローラ６上のＲＯＭ１３等に格納され、操作者が表示操作部５から指示を入力することにより原稿を読み取って転写紙上に画像を形成し出力している。また、ＦＡＸ拡張９やプリント拡張８では外部拡張機能Ｉ／Ｆ部１９に接続された通信線を経由し画像の送受信、コマンドの送受信を行っている。
【０００５】
ところで、画像形成装置１００のような従来の画像形成装置では複数の機能（コピー機能、ファクシミリ機能、プリンタ機能など）を搭載するために回路が大規模化し、また、複雑な処理を迅速に行うため、制御部分に搭載されている基準クロックの周波数を上げて処理速度を増す傾向にあった。このため、回路の大規模化と基準クロック周波数の引き上げに伴い消費電力が増大していた。一方、近年では、消費エネルギーを低減しようとする要求が強まり省エネルギーに関する規制も厳しくなってきている。
そのため、特開平８−３２４０７２号公報の画像処理システム及び画像処理装置及びその制御方法では、複写やプリントが長時間行われていない状態での電力消費をさらに低減しようとする技術が開示されている。また、特開平５−２８２０６７号公報の動作クロック発生装置では、検知した電源電力に応じて所定の周波数クロックを発生させて消費エネルギーを低減させようとする技術が提案されている。また、特開２００１−３５３９３０公報のプリンタ装置では、サブＣＰＵを設けず、ＤＣ／ＤＣコンバータ回路への電源供給を遮断し、メインＣＰＵへの電源供給も止めて必要最低限の電源供給でシステムを駆動したり、ＣＰＵおよびＳＤＲＡＭへの供給クロック周波数とＣＰＵの内部動作クロック周波数とを最小に設定することで消費電力の低減を図っている。
【特許文献１】特開平８−３２４０７２号公報
【特許文献２】特開平５−２８２０６７号公報
【特許文献３】特開２００１−３５３９３０公報
【０００６】
【発明が解決しようとする課題】
しかしながら、特開平８−３２４０７２号公報の画像処理システム及び画像処理装置及びその制御方法には、装置が待機モードの時は消費電力が低減されるが、動作モードの時には低減されないという問題がある。また、特開平５−２８２０６７号公報の動作クロック発生装置や特開２００１−３５３９３０公報のプリンタ装置では、特定の回路しか動作クロック周波数の調整が行われないので、消費電力の低減を部分的にしか行うことができず、近年の装置の複合化に対応することができないという問題がある。
そこで、本発明は、上述の問題点を解決するためになされたもので、動作モード時においても消費電力を低減することができると共に複合化に対応した回路構成においても効果的に消費電力を低減することができる画像形成装置を提供することを目的とする。
【０００７】
【課題を解決するための手段】
上述の問題点を解決するために、請求項１記載の発明では、操作モード等を設定する操作入力部と操作画面を表示する表示部を備えた表示操作手段と、原稿を光学的に読み取る原稿読取手段と、画像を転写材に形成する画像形成手段とを備え、画像処理アプリケーションにおける複数の機能を同時に実行可能な画像形成装置において、前記画像処理アプリケーションの動作モードを検出するモード検出手段と、装置の電源回路の２次側電力を監視する電源情報検出手段を備え、前記モード検出手段の検出結果と前記電源情報検出手段の検出結果に応じて、装置のメイン制御部及び画像処理アプリケーション制御部の基準クロックを調整することにより装置全体の消費電力を制御する画像形成装置を最も主要な特徴とする。
【０００８】
請求項２記載の発明では、操作モード等を設定する操作入力部と操作画面を表示する表示部を備えた操作手段と、原稿を光学的に読み取る原稿読取手段と、画像を転写材に形成する画像形成手段とを備え、画像処理アプリケーションにおける複数の機能を同時に実行可能な画像形成装置において、前記画像処理アプリケーションの動作モードを検出するモード検出手段と、装置の電源回路の２次側電力を監視する電源情報検出手段を備え、メイン制御部からのクロック出力により動作する画像処理アプリケーション制御部の基準クロックの調整を前記モード検出手段の検出結果と前記電源情報検出手段の検出結果に応じて、メイン制御部から出力される基準クロックの調整することにより装置全体の消費電力を制御する画像形成装置を主要な特徴とする。
請求項３記載の発明では、画像を転写材に定着するための定着ヒーターの電源投入状態を検出するヒーター電源検出手段を備え、前記ヒーター電源検出手段の検出結果に応じて、基準クロックを調整することにより装置全体の消費電力を制御する画像形成装置を主要な特徴とする。
【０００９】
【発明の実施の形態】
以下、図面により本発明の実施の形態を詳細に説明する。図１は本発明の第１の実施の形態である画像形成装置２００が備えるメイン制御部としてのメインコントローラ３０のブロック図である。なお、画像形成装置２００の概観は図７で説明した画像形成装置１００と同じであり、画像形成装置２００の制御回路の基本構成は図８で説明した基本構成と同じであり、画像形成装置２００の電源回路の構成は図９のものと同じであるのでここの説明は省略し、図１０、図１１に該当する特徴部分を説明する。但し、この実施の形態では、図８のメインコントローラ６をメインコントローラ３０に置き換えて説明する。
図１において、ＣＰＵ３１は装置全体の動作を制御するためのものであり、内部にはキャッシュメモリやプログラムＲＯＭを内蔵している。画像処理部３２は画像処理ＡＳＩＣ等から構成され、画像処理を行う。操作Ｉ／Ｆ部３３は表示操作部５からの入力信号を制御したり、操作情報を表示部に表示させる為のＩ／Ｆ部分である。ＲＡＭ３４はメモリでありプログラムの実行などで使用される。ＲＯＭ３５はプログラムを格納する為の不揮発性メモリである。画像Ｉ／Ｆ部３６は、原稿読取部２からの画像データやプロッタ部７への画像データをやりとりする為のＩ／Ｆ部分である。外部拡張機能Ｉ／Ｆ部４０は拡張機能を接続する為のＩ／Ｆ部分である。
【００１０】
図１に示すように、ＣＰＵ３１、画像処理部３２、操作Ｉ／Ｆ部３３、ＲＡＭ３４、ＲＯＭ３５、画像Ｉ／Ｆ部３６はメインコントローラ３０内部でお互い内部システムバスＩＢＵＳで接続されており、コマンドやデータのやりとりが可能となっている。基準クロック発生回路３７は、水晶発振子または水晶発振器を原振とし、分周または逓倍を行い、各部で必要な周波数の基準クロックＣＫを生成する。ＣＰＵ３１、画像処理部３２、ＲＡＭ３４は基準クロック発生回路３７からの基準クロックＣＫ入力により動作している。また、ＦＡＸ拡張９の制御部（制御回路）やプリンタ拡張８の制御部（制御回路）についても同様に内部で基準クロックを発生させ動作している。
装置の基本動作としては、まず、装置の電源を投入するとＲＯＭ３５からプログラムが呼び出され、ＣＰＵ３１により処理され各種設定の初期化を行う。一方、原稿読取部２とプロッタ部７は読み込みと画像形成が可能な定常状態に保持される。ここで、外部から受信すべき画像データやコマンド等が有れば、給紙、作像、定着、排紙の動作を行う。原稿読取部２に原稿がセットされ、操作部で操作が行われた場合も同様の動作を行う。
【００１１】
図２は画像形成装置２００おける電源回路とメインコントローラ３０と各種電装ユニットの関係を示すブロック図である。図２に示すように、電源回路１２の２次側の電圧および電流を検知し、２次側電力を測定する電源情報検出手段としての電力検知部４１が設けられている。また、メインコントローラ３０やＦＡＸ拡張９、プリンタ拡張８の制御部（画像処理アプリケーションの制御部）に実装されている基準クロック発生回路を制御するためのクロック制御回路４２が設けられており、クロック制御回路４２から各制御部にクロック制御信号Ａ〜Ｃが与えられている。また、クロック制御回路４２はプリンタ機能やファクシミリ機能など画像処理アプリケーションの動作モードを含むメインコントローラ３０の動作状態を検出するためのモード検出手段としての機能も備え、メインコントローラ３０からは動作モードを示す動作モード信号Ｍが与えられている。さらに、クロック制御回路４２には電力検知部４１から電源情報信号ＰＩが与えられている。
これにより、動作モード信号Ｍによる動作モードの検出結果と電源情報信号ＰＩによる２次側電力の検出結果に応じて、メインコントローラ３０、ＦＡＸ拡張９の制御部及びプリンタ拡張８の制御部の基準クロックＣＫが調整される。本装置で原稿を読み取り、画像形成動作を行っている時に、外部から画像データやコマンドの受信があれば、メインコントローラ３０や各制御部が一斉に動作を行う為に装置の消費電力が最大になるが、画像形成装置２００では、消費電力の上限値を予め設定しておき、上限値を超えるような電力検知結果が発生した場合は、クロック制御回路４２によって各部の基準クロックを低い周波数に切り替えるようになっている。クロック制御信号Ａ〜Ｃは電力検知結果に応じて段階的に切り替えることが可能である。なお、消費電力が予め設定された下限値まで低下した場合は、クロック制御信号Ａ〜Ｃは解除され、通常動作に復帰するようになっている。
【００１２】
基準クロックＣＫの周波数がダウンすることにより、単位時間当たりの電流量を低減させることができ、原稿読取部２やプロッタ部７の速度も低減するので、装置全体の消費電力を低減することが可能となる。従来の技術では一般に省エネを考えるとき、動作してないスタンバイ時の電力を低減させることが多いが、画像形成装置２００では動作時の消費電力を低減させることが可能である。また、メインコントローラ３０と共にプリンタ機能を司る制御回路やファクシミリ機能を司る制御回路のような個々の画像処理アプリケーション制御部において基準クロックＣＫを下げることができるので、プリンタ機能やＦＡＸ機能などの複合化に対応した回路構成においても効果的に消費電力を低減することができる。
【００１３】
続いて、本発明の第２の実施の形態である画像形成装置３００について説明する。なお、画像形成装置２００と同一の部分については同一符号を付しその説明は省略する。図３は画像形成装置３００が備えるメインコントローラ５０のブロック図である。図３において、ＣＰＵ３１、画像処理部３２、操作Ｉ／Ｆ部３３、ＲＡＭ３４、画像Ｉ／Ｆ部３６はメインコントローラ５０内部で互いに内部システムバスＩＢＵＳで接続されており、コマンドやデータのやりとりが可能となっている。メインコントローラ５０のＣＰＵ３１、画像処理部３２、ＲＡＭ３４は基準クロック発生回路５１からの基準クロックＣＫ入力により動作している。また、ＦＡＸ拡張９の制御部やプリンタ拡張の制御部（画像処理アプリケーション制御部）は、メインコントローラ５０の基準クロック発生回路５１から供給される基準クロックＣＫにより動作している。
装置の基本動作としては、まず、装置の電源を投入するとＲＯＭ３５からプログラムが呼び出され、ＣＰＵ３１により処理され各種設定の初期化を行う。一方、原稿読取部２とプロッタ部７は読み込みと画像形成が可能な定常状態に保持される。ここで、外部から受信すべき画像データやコマンド等が有れば、給紙、作像、定着、排紙の動作を行う。原稿読取部２に原稿がセットされ、操作部で操作が行われた場合も同様の動作を行う。
【００１４】
図４は画像形成装置３００おける電源回路とメインコントローラ５０と各種電装ユニットの関係を示すブロック図である。図４に示すように、メインコントローラ５０に実装されている基準クロック発生回路５１を制御するためのクロック制御回路５２が設けられており、クロック制御回路５２からクロック制御信号Ｄが与えられている。また、クロック制御回路５２は画像処理アプリケーションの動作モードを含むメインコントローラ５０の動作状態を検出するためのモード検出手段としての機能も備え、メインコントローラ５０からは動作モードを示す動作モード信号Ｍが与えられている。さらに、クロック制御回路５２には電力検知部４１から電源情報信号ＰＩが与えられている。
これにより、動作モードの検出結果と２次側電力の検出結果に応じて、メインコントローラ５０の基準クロックＣＫが調整される。これに伴い、ＦＡＸ拡張９の制御部及びプリンタ拡張８の制御部の基準クロックＣＫも変わる。調整画像形成装置３００では、消費電力の上限値を予め設定しておき、上限値を超えるような電力検知結果が発生した場合は、クロック制御回路５２によってメインコントローラ５０の内部の基準クロックＣＫを低い周波数に切り替えるようになっている。クロック制御信号Ｄは電力検知結果に応じて段階的に切り替えることが可能である。なお、消費電力が予め設定された下限値まで低下した場合は、クロック制御信号Ｄは解除され、通常動作に復帰するようになっている。
【００１５】
基準クロックの周波数がダウンすることにより、単位時間当たりの電流量を低減させることができ、原稿読取部２やプロッタ部７の速度も低減するので、装置全体の消費電力を低減することが可能となる。従来の技術では一般に省エネを考えるとき、動作してないスタンバイ時の電力を低減させることが多いが、画像形成装置３００では動作時の消費電力を低減させることが可能である。
また、メインコントローラ５０と共にプリンタ機能を司る制御回路やファクシミリ機能を司る制御回路のような画像処理アプリケーション制御部の基準クロックＣＫを下げることができるので、プリンタ機能やＦＡＸ機能などの複合化に対応した回路構成においても効果的に消費電力を低減することができる。
また、ＦＡＸ機能を担う制御回路、プリンタ機能を担う制御回路が同時にスタンバイ状態であれば、メインコントローラ５０から各機能に出力されている基準クロックＣＫをそれぞれ一時停止することにより、ＦＡＸ機能、プリンタ機能の動作を止め、休止状態にすることでさらなる消費電力低減が可能である。各機能の基準クロックＣＫは独立して制御が可能である。
【００１６】
続いて、本発明の第３の実施の形態である画像形成装置４００について説明する。なお、画像形成装置３００と同一の部分については同一符号を付しその説明は省略する。図５は画像形成装置４００が備えるメインコントローラ６０のブロック図である。画像形成装置４００では、図６に示す動作モードの検出結果と２次側電力の検出結果に応じて、メインコントローラ６０の基準クロックＣＫが調整される。これに伴い、ＦＡＸ拡張９の制御部及びプリンタ拡張８の制御部の基準クロックＣＫも変わる。また、消費電力の上限値を予め設定しておき、上限値を超えるような電力検知結果が発生した場合は、後述するクロック制御回路６２によってメインコントローラ５０の内部の基準クロックＣＫを低い周波数に切り替えるようになっている。クロック制御信号Ｄは電力検知結果に応じて段階的に切り替えることが可能である。なお、消費電力が予め設定された下限値まで低下した場合は、クロック制御信号Ｄは解除され、通常動作に復帰するようになっている。
【００１７】
図６において、クロック制御回路６２は画像処理アプリケーションの動作モードを含むメインコントローラ６０の動作状態を検出するためのモード検出手段としての機能も備え、メインコントローラ６０からは動作モードを示す動作モード信号Ｍが与えられている。さらに、クロック制御回路６２には電力検知部４１から電源情報信号ＰＩが与えられている。
また、画像形成装置４００では、図５に示すように、定着ヒーターのＯＮ／ＯＦＦ状態を示す定着ＯＮ／ＯＦＦ検知信号Ｈがプロッタ部７から出力されており、この信号はヒーター電源検出手段としての機能も備えたクロック制御回路６２に入力される（図６）。定着プロセスでは定着ローラーと定着ヒーターによって転写紙上のトナーに圧力と熱を与えてトナー画像の定着を行っている。定着ヒーターは装置の消費電力のかなりの部分を占めており、定着がＯＮの時に装置の最大消費電力になる場合が多いので、画像形成装置４００では、メインコントローラ６０からの信号が動作モードを示し、定着ヒーターがＯＮの状態で、電力検知部４１にて消費電力の上限値となる値が検知された場合には、基準クロック発生回路５１から出力されている基準クロックＣＫの周波数をダウンするようになっている。
このようになされた画像形成装置４００では、画像形成装置３００と同様の効果に加え、定着ヒータのＯＮ／ＯＦＦを検知しているので、より詳細なクロック制御が可能となり、より細かく省エネ制御を行うことが可能となる。また、装置の電源投入時には定着ヒーターがＯＮになり、消費電力が最大となる場合に対して、動作モード信号で起動時のステータスをクロック制御回路６２に通知することにより、起動時の最大消費電力を低減することも可能である。このようにして、画像形成装置の消費電力を低減することにより省エネが可能となる。
【００１８】
【発明の効果】
以上説明したように、請求項１によれば、動作モードの検出結果と２次側電力の検出結果に応じて、メイン制御部の基準クロックやプリンタ機能を司る制御回路やファクシミリ機能を司る制御回路のような画像処理アプリケーション制御部の基準クロックの周波数を下げるので、単位時間当たりの電流量を低減させることができ、原稿読取手段や画像形成手段の速度も低減するので、装置全体の消費電力を低減することが可能である。動作時の消費電力を低減させることが可能である。また、メイン制御部と共に個々の画像処理アプリケーション制御部において基準クロックを下げることができるので、プリンタ機能やＦＡＸ機能などの複合化に対応した回路構成においても効果的に消費電力を低減することができる。請求項２によれば、動作モードの検出結果と２次側電力の検出結果に応じて、メイン制御部の基準クロックが調整される。これに伴い、プリンタ機能を司る制御回路やファクシミリ機能を司る制御回路のような画像処理アプリケーション制御部の基準クロックも変わる。基準クロックの周波数がダウンすることにより、単位時間当たりの電流量を低減させることができ、原稿読取手段や画像形成部の速度も低減するので、装置全体の消費電力を低減することが可能となる。動作時の消費電力を低減させることが可能である。
また、メイン制御部と共に画像処理アプリケーション制御部の基準クロックを下げることができるので、プリンタ機能やＦＡＸ機能などの複合化に対応した回路構成においても効果的に消費電力を低減することができる。また、ＦＡＸ機能を担う制御回路、プリンタ機能を担う制御回路が同時にスタンバイ状態であれば、メインコントローラから各機能に出力されている基準クロックをそれぞれ一時停止することにより、ＦＡＸ機能、プリンタ機能の動作を止め、休止状態にすることでさらなる消費電力低減が可能である。各機能の基準クロックは独立して制御が可能である。
【００１９】
請求項３によれば、動作モードの検出結果と２次側電力の検出結果に応じて、メイン制御部の基準クロックが調整される。これに伴い、プリンタ機能を司る制御回路やファクシミリ機能を司る制御回路のような画像処理アプリケーション制御部の基準クロックも変わる。基準クロックの周波数がダウンすることにより、単位時間当たりの電流量を低減させることができ、原稿読取手段や画像形成部の速度も低減するので、装置全体の消費電力を低減することが可能となる。動作時の消費電力を低減させることが可能である。
また、メイン制御部と共に画像処理アプリケーション制御部の基準クロックを下げることができるので、プリンタ機能やＦＡＸ機能などの複合化に対応した回路構成においても効果的に消費電力を低減することができる。また、ＦＡＸ機能を担う制御回路、プリンタ機能を担う制御回路が同時にスタンバイ状態であれば、メインコントローラから各機能に出力されている基準クロックをそれぞれ一時停止することにより、ＦＡＸ機能、プリンタ機能の動作を止め、休止状態にすることでさらなる消費電力低減が可能である。各機能の基準クロックは独立して制御が可能である。
また、定着ヒータのＯＮ／ＯＦＦを検知しているので、より詳細なクロック制御が可能となり、より細かく省エネ制御を行うことが可能となる。また、装置の電源投入時には定着ヒーターがＯＮになり、消費電力が最大となる場合に対して、動作モード信号で起動時のステータスをクロック制御回路６２に通知することにより、起動時の最大消費電力を低減することも可能である。このようにして、画像形成装置の消費電力を低減することにより省エネが可能となる。
【図面の簡単な説明】
【図１】画像形成装置２００が備えるメイン制御部としてのメインコントローラ３０のブロック図。
【図２】画像形成装置２００における電源回路とメインコントローラ３０と各種電装ユニットの関係を示すブロック図。
【図３】画像形成装置３００が備えるメインコントローラ５０のブロック図。
【図４】画像形成装置３００における電源回路とメインコントローラ５０と各種電装ユニットの関係を示すブロック図。
【図５】画像形成装置４００が備えるメインコントローラ６０のブロック図。
【図６】画像形成装置４００における電源回路とメインコントローラ６０と各種電装ユニットの関係を示すブロック図。
【図７】従来の画像形成装置１００の外観図。
【図８】画像形成装置１００の制御回路の基本構成図。
【図９】画像形成装置１００が有する電源回路１２の概略図。
【図１０】画像形成装置１００における電源回路とメインコントローラ６と各種電装ユニットの関係を示すブロック図。
【図１１】画像形成装置１００が備えるメインコントローラ６のブロック図。
【符号の説明】
１  本体
２  原稿読取部
３  給紙部
４  排紙部
５  表示操作部
６、３０、５０、６０  メインコントローラ
７  プロッタ部
８  プリンタ拡張
９  ＦＡＸ拡張
１２  電源回路
１３、３５  ＲＯＭ
１４、３４  ＲＡＭ
１５、３２  画像処理部
１６、３３  操作Ｉ／Ｆ部
１７、３６  画像Ｉ／Ｆ部
１８、３１  ＣＰＵ
１９、４０  外部拡張機能Ｉ／Ｆ部
２０、３７、５１  基準クロック発生回路
４１  電力検知部
４２、５２、６２  クロック制御回路
１００、２００、３００、４００  画像形成装置
【図１】
2005035136.tif 000003
【図２】
2005035136.tif 000004
【図３】
2005035136.tif 000005
【図４】
2005035136.tif 000006
【図５】
2005035136.tif 000007
【図６】
2005035136.tif 000008
【図７】
2005035136.tif 000009
【図８】
2005035136.tif 000010
【図９】
2005035136.tif 000011
【図１０】
2005035136.tif 000012
【図１１】
2005035136.tif 000013